(57)【特許請求の範囲】
【請求項１】
ダウンリンク制御情報の発信方法であって、基地局が物理ダウンリンク制御チャネルにダウンリンク制御情報を携帯し、コンポーネントキャリアによって前記物理ダウンリンク制御チャネルを発信し、前記発信方法は、
前記基地局がアンカーコンポーネントキャリアに第1類のダウンリンク制御情報をベアラーし、プライムコンポーネントキャリアに第3類のダウンリンク制御情報をベアラーすることを含み、ただし、
前記第1類のダウンリンク制御情報が、前記第1類のダウンリンク制御情報が所在するコンポーネントキャリアのアップリンクスケジューリング情報、ダウンリンクスケジューリング情報及びアップリンクパワー制御情報の中の1種或いは多種をベアラーし、前記第3類のダウンリンク制御情報が第2類のダウンリンク制御情報の指示情報をベアラーし、前記第2類のダウンリンク制御情報が1つの或いは複数のコンポーネントキャリアのアップリンクスケジューリング情報及び/またはダウンリンクスケジューリング情報をベアラーし、
前記アンカーコンポーネントキャリアとプライムコンポーネントキャリアとが上位層シグナリングにより半静的に設置され、前記アンカーコンポーネントキャリアとプライムコンポーネントキャリアとが端末専有であるダウンリンク制御情報の発信方法。
【請求項２】
前記コンポーネントキャリアがn個のであり、前記基地局がn個のコンポーネントキャリアにおいて端末にデータを伝送するときに、1つのコンポーネントキャリアがアンカーコンポーネントキャリアであり、1つ或いは2つのコンポーネントキャリアがプライムコンポーネントキャリアであり、1< n ≦5である請求項1に記載の発信方法。
【請求項３】
前記第3類のダウンリンク制御情報にベアラーされる第2類のダウンリンク制御情報の指示情報は、第2類のダウンリンク制御情報に含むダウンリンク制御情報フォーマットの指示情報と、第2類のダウンリンク制御情報が所在するコンポーネントキャリアの指示情報と、第2類のダウンリンク制御情報をベアラーする物理ダウンリンク制御チャネルの制御チャンネルユニットのアグリゲーションレベルと制御チャンネルユニットの開始位置の指示情報と、アップリンクスケジューリング指示情報或いはダウンリンクスケジューリング指示情報との中の1種或いは多種を含む請求項1に記載の発信方法。
【請求項４】
前記第3類のダウンリンク制御情報は、1ビットのアップリンクスケジューリング指示情報或いはダウンリンクスケジューリング指示情報と、2*nビットの第2類のダウンリンク制御情報に含むダウンリンク制御情報フォーマットの指示情報と、「log2n」ビットの第2類のダウンリンク制御情報が所在するコンポーネントキャリアの索引と、6ビットの第2類のダウンリンク制御情報をベアラーする物理ダウンリンク制御チャネルの制御チャンネルユニットのアグリゲーションレベルと制御チャンネルユニットの開始位置とを含み、nが端末に分配するダウンリンクコンポーネントキャリア数であり、或いは
前記第3類のダウンリンク制御情報は、2*nビットのダウンリンクスケジューリングの第2類のダウンリンク制御情報に含むダウンリンク制御情報フォーマットの指示情報と、「log2n」ビットのダウンリンクスケジューリングの第2類のダウンリンク制御情報が所在するコンポーネントキャリアの索引と、6ビットのダウンリンクスケジューリングの、第2類のダウンリンク制御情報をベアラーする物理ダウンリンク制御チャネルの制御チャンネルユニットのアグリゲーションレベルと制御チャンネルユニットの開始位置と、2*mビットのアップリンクスケジューリングの第2類のダウンリンク制御情報に含むダウンリンク制御情報フォーマットの指示情報と、「log2n」ビットのアップリンクスケジューリングの第2類のダウンリンク制御情報が所在するコンポーネントキャリアの索引と、6ビットのアップリンクスケジューリングの、第2類のダウンリンク制御情報をベアラーする物理ダウンリンク制御チャネルの制御チャンネルユニットのアグリゲーションレベルと制御チャンネルユニットの開始位置とを含み、nが端末に分配するダウンリンクコンポーネントキャリア数であり、mが端末に分配するアップリンクコンポーネントキャリア数である請求項3に記載の発信方法。
【請求項５】
前記第2類のダウンリンク制御情報にベアラーする1つの或いは複数のコンポーネントキャリアのアップリンクスケジューリング情報及び/或いはダウンリンクスケジューリング情報は、
端末がk1個の分配されるコンポーネントキャリアのアップリンクスケジューリング情報のダウンリンク制御情報及び/またはダウンリンクスケジューリング情報のダウンリンク制御情報の組合せであり、k1が前記第3類のダウンリンク制御情報にベアラーされる第2類のダウンリンク制御情報に含むダウンリンク制御情報フォーマットの指示情報によって確定され、1≦k1≦n、或いは
分配されるk2個のダウンリンクスケジューリング情報のダウンリンク制御情報とl個のアップリンクスケジューリング情報のダウンリンク制御情報の組合せであり、ただし、k2とlとが前記第3類のダウンリンク制御情報にベアラーされる第2類のダウンリンク制御情報に含むダウンリンク制御情報フォーマットの指示情報によって確定され、1≦k2≦n、1≦l≦m、nが端末に分配するダウンリンクコンポーネントキャリア数であり、mが端末に分配するアップリンクコンポーネントキャリア数である請求項1または3に記載の発信方法。
【請求項６】
基地局であって、
ダウンリンク制御情報を物理ダウンリンク制御チャネルに設置し、且つ第1類のダウンリンク制御情報をアンカーコンポーネントキャリアに設置し、第3類のダウンリンク制御情報をプライムコンポーネントキャリアに設置し、及び
コンポーネントキャリアによって前記物理ダウンリンク制御チャネルを発信するように設置され、ただし、
前記第1類のダウンリンク制御情報が、前記第1類のダウンリンク制御情報が所在するコンポーネントキャリアのアップリンクスケジューリング情報、ダウンリンクスケジューリング情報及びアップリンクパワー制御情報の中の1種或いは多種をベアラーし、前記第3類のダウンリンク制御情報が第2類のダウンリンク制御情報の指示情報をベアラーし、前記第2類のダウンリンク制御情報が1つの或いは複数のコンポーネントキャリアのアップリンクスケジューリング情報及び/またはダウンリンクスケジューリング情報をベアラーし、
前記アンカーコンポーネントキャリアとプライムコンポーネントキャリアとが上位層シグナリングにより半静的に設置され、前記アンカーコンポーネントキャリアとプライムコンポーネントキャリアとが端末専有である基地局。
【請求項７】
ダウンリンク制御情報の検出方法であって、
端末が、アンカーコンポーネントキャリアに第1類のダウンリンク制御情報をブラインド検出し、プライムコンポーネントキャリアに第3類のダウンリンク制御情報をブラインド検出することを含み、ただし、
前記第1類のダウンリンク制御情報が、前記第1類のダウンリンク制御情報が所在するコンポーネントキャリアのアップリンクスケジューリング情報、ダウンリンクスケジューリング情報及びアップリンクパワー制御情報の中の1種或いは多種をベアラーし、前記第3類のダウンリンク制御情報が第2類のダウンリンク制御情報の指示情報をベアラーし、前記第2類のダウンリンク制御情報が1つの或いは複数のコンポーネントキャリアのアップリンクスケジューリング情報及び/またはダウンリンクスケジューリング情報をベアラーし、
前記アンカーコンポーネントキャリアとプライムコンポーネントキャリアとが上位層シグナリングにより半静的に設置され、前記アンカーコンポーネントキャリアとプライムコンポーネントキャリアとが端末専有であるダウンリンク制御情報の検出方法。
【請求項８】
前記第3類のダウンリンク制御情報にベアラーされる第2類のダウンリンク制御情報の指示情報は、第2類のダウンリンク制御情報に含むダウンリンク制御情報フォーマットの指示情報と、第2類のダウンリンク制御情報が所在するコンポーネントキャリアの指示情報と、第2類のダウンリンク制御情報をベアラーする物理ダウンリンク制御チャネルの制御チャンネルユニットのアグリゲーションレベルと制御チャネルユニットの開始位置の指示情報と、アップリンクスケジューリング指示情報或いはダウンリンクスケジューリング指示情報との中の1種或いは多種を含む請求項7に記載の検出方法。
【請求項９】
端末がプライムコンポーネントキャリアに第3類のダウンリンク制御情報を検出されたた時、端末が第3類のダウンリンク制御情報にベアラーされる第2類のダウンリンク制御情報の指示情報によって、指定のコンポーネントキャリアにおける制御チャンネルユニット集合の中に第2類のダウンリンク制御情報の符号語を取得して復号することをさらに含む請求項7または8に記載の検出方法。
【請求項１０】
端末がアンカーコンポーネントキャリアにおいてブラインド検出する第1類のダウンリンク制御情報のダウンリンク制御情報フォーマットとプライムコンポーネントキャリアにおいてブラインド検出する第3類のダウンリンク制御情報のダウンリンク制御情報フォーマットとが上位層シグナリング関連の設置により決定される請求項7に記載の検出方法。
【請求項１１】
前記端末はさらに、プライムコンポーネントキャリアにおいて公共制御情報スケジューリングに用いられるダウンリンク制御情報フォーマットをブラインド検出することをさらに含む請求項7に記載の検出方法。
【請求項１２】
検出モジュールを含む端末であって、
前記検出モジュールはアンカーコンポーネントキャリアにおいて第1類のダウンリンク制御情報をブラインド検出し、及びプライムコンポーネントキャリアにおいて第3類のダウンリンク制御情報をブラインド検出するように設置され、
ただし、前記第1類のダウンリンク制御情報が、前記第1類のダウンリンク制御情報が所在するコンポーネントキャリアのアップリンクスケジューリング情報、ダウンリンクスケジューリング情報及びアップリンクパワー制御情報の中の1種或いは多種をベアラーし、前記第3類のダウンリンク制御情報が第2類のダウンリンク制御情報の指示情報をベアラーし、前記第2類のダウンリンク制御情報が1つの或いは複数のコンポーネントキャリアのアップリンクスケジューリング情報及び/またはダウンリンクスケジューリング情報をベアラーし、
前記アンカーコンポーネントキャリアとプライムコンポーネントキャリアとが上位層シグナリングにより半静的に設置され、前記アンカーコンポーネントキャリアとプライムコンポーネントキャリアとが端末専有である端末。
【発明の詳細な説明】
【技術分野】
【０００１】
本発明は移動無線通信分野に関し、特に無線通信システムにおけるダウンリンク制御情報の発信と検出方法に関する。
【背景技術】
【０００２】
図1にロング・ターム・エボリューション(Long Term Evolution、LTE)システム周波数分割複信(Frequency Division Duplex、FDD)モードと時分割複信(Time Division Duplex、TDD)モードのフレーム構造を示す。FDDモードのフレーム構造において、1つの10msの無線フレーム(radio frame)が、長さが0.5msで、番号が0~19である20個のタイムスロット(slot)からなり、タイムスロット2iとタイムスロット2i+1とが長さが1msであるサブフレーム(subframe)iを構成する。TDDモードのフレーム構造において、1つの10msの無線フレーム(radio frame)が、長さが5msである2つのハーフフレーム(half frame)からなり、1つのハーフフレームが長さが1msである5つのサブフレーム(subframe)を含む。サブフレームiは、長さが 0.5msである2つのタイムスロット2iとタイムスロット 2i+1と定義する。両種フレーム構造に、ノーマル・サイクリックプレフィックス(Normal Cyclic Prefix、Normal CP)に対して、1つのタイムスロットが、長さが66.7usである7つの符号を含み、その中で、第1の符号のCP長さが5.21usであり、他の6つの符号のCP長さが4.69usであり、拡張サイクリックプレフィックス(Extended CP)に対して、1つのタイムスロットが6つの符号を含み、全ての符号的のCP長さがいずれも16.67usである。
【０００３】
LTEは以下3種のダウンリンク物理制御チャネルを定義する。
【０００４】
物理制御フォーマット指示チャネル(Physical Control Format Indicator Channel、PCFICH)：チャネルフォーマット指示を制御する。1つのサブフレームにおいて物理ダウンリンク制御チャネル(Physical Downlink Control Channel、PDCCH)を伝送するための直交周波数分割多重(Orthogonal Frequency Division Multiplexing、OFDM)符号の数情報を指示し、サブフレームの第1のOFDM符号において発信し、所在する周波数位置がシステムダウンリンク帯域幅とセルIdentification(ID)とで決定される。
【０００５】
物理ハイブリッド自動再送指示チャネル(Physical Hybrid Automatic Repeat Request Indicator Channel、PHICH)：ハイブリッド自動再送 (Hybrid Automatic Repeat Request、H-ARQ)のACK/NACKフィードバック情報をアップリンク伝送する。PHICHの数、時間周波数位置が物理放送チャンネル(Physical Broadcast Channel、PBCH)におけるシステムメッセージとセル IDとで決定される。
【０００６】
物理ダウンリンク制御チャネル(Physical Downlink Control Channel、PDCCH)：ダウンリンク制御情報(アップリンクとダウンリンクスケジューリング情報、アップリンクパワー制御情報を含む)をベアラーすることに用いれる。ダウンリンク制御情報(Downlink Control Information、DCI)のフォーマットは、物理アップリンク共有チャネル(Physical Uplink Shared Channel、PUSCH)のスケジューリングに用いられるDCI format 0と、1つの物理ダウンリンク共有チャネル(Physical Downlink Shared Channel、PDSCH)符号語スケジューリングの異なるモードに用いられるDCI format 1、1A、1B、1C、1Dと、空間分割多重の異なるモードに用いられるDCI format 2、2Ａと、物理アップリンク制御チャネル(Physical Uplink Control Channel、PUCCH)とPUSCHのパワー制御指令との異なるモードに用いられるDCI format 3、3Aとを含む。
【０００７】
PDCCHが伝送する物理リソースは、制御チャンネルユニット(Control Channel Element、CCE)を単位として、1つのCCEの大きさが9つのREG、即ち36個のリソースユニット(Resource Element)であり、1つのPDCCHが1、2、4或いは8個のCCEを占用する可能性がある。
【０００８】
1、2、4、8個のCCEの4種のPDCCH大きさに対して、ツリー状のアグリゲーション(Aggregation)を採用し、即ち、1つのCCEのPDCCHがいずれのCCE位置から開始でき、2つのCCEのPDCCHが偶数CCE位置から開始し、4つのCCEのPDCCHが4の整数倍のCCE位置から開始し、8つのCCEのPDCCHが8の整数倍のCCE位置から開始する。
【０００９】
PDCCHが1、2、4及び8それらのアグリゲーションレベル(Aggregation level)を有し、アグリゲーションレベルごとに1つの捜索空間(Search space)を定義し、公共(common)とUE専有(UE Specific)との捜索空間を含む。全捜索空間のCCE数は、各ダウンリンクサブフレームにおけるPCFICHが指示した制御領域が占用するOFDM符号数とPHICHの組の数とで決定される。UEが捜索空間内に、位置する伝送モードのDCI formatに応じてすべての可能性があるPDCCHビットレートに対してブラインド検出を行う。
【００１０】
ユーザ端末(User Equipment、UE)が上位層シグナリングによって半静的 (semi-statically)に以下の1種の伝送モード(transmission mode)に基づけるように設置され、UE専有(UE specific)の捜索空間のPDCCHの指示に応じてPDSCHデータ伝送を受信する。
1. シングルアンテナポート；ポート0(Single-antenna port；port 0)
2. 送信ダイバーシチ(Transmit diversity)
3. 開ループ型空間多重(Open-loop spatial multiplexing)
4. 閉ループ型空間多重(Closed-loop spatial multiplexing)
5. マルチユーザMIMO(Multi-user MIMO)
6. 閉ループRank=lプリコーディング(Closed-loop Rank=l precoding)
7. シングルアンテナポート；ポート5(Single-antenna port；port 5)
【００１１】
UEが、上位層にセル無線ネットワーク一時的識別子(cell Radio Network Temporary Identifier、C-RNTI)のスクランブリングした巡回冗長検査(Cyclic Redundancy Check、CRC)でPDCCH復号するように設置されたら、UEが表1-1に定義した相応な組合せに応じてPDCCHとすべて関連PDSCHを復号すべきである。
【００１２】
UEが、上位層に半静的スケジューリングセル無線ネットワーク一時的識別子(semi-persistently Scheduled Radio Network Temporary Identifier、SPS-RNTI)のスクランブリングした巡回冗長検査(CRC)で PDCCH復号するように設置されたら、UEが表1-2に定義した相応な組合せに応じてPDCCHとすべて関連PDSCHを復号すべきである。
【表１】
0005317377.tif 000002
【表２】
0005317377.tif 000003
【００１３】
UEは各の非連続受信(non-Discontinuous Reception、non-DRX)でないサブフレームに1組の候補のPDCCHを検出することにより制御情報を取得すべきであり、検出とはすべての検出待ちのDCI formatに応じて組内のPDCCHに対して復号を行うことである。UEはaggregation levelがそれぞれ4と8である1つのcommon search space とaggregation levelがそれぞれ1、2、4、8である1つのUE-specific search spaceを検出すべきである。CommonとUE-specific search spaceとが重なる可能性がある。aggregation levelが定義したsearch spaceは表1-3に示す。UEが検出すべくDCI formatは前記設置した伝送モードに依存する。
【００１４】
LTE Release-8は1.4MHz、3MHz、5MHz、10MHz、15MHz及び20MHz という6種の帯域幅を定義する。
【表３】
0005317377.tif 000004
【００１５】
LTE-Advanced(Further Advancements for E-UTRA)はLTE Release-8のエボリューションバージョンである。3GPP TR 25.913:「Requirements for Evolved UTRA(E-UTRA)and Evolved UTRAN(E-UTRAN)」のすべての関連需要を満足し或い超える以外、さらにITU-Rが提出したIMT-Advancedの需要に達し或いは超える必要がある。ただし、LTE Release-8と上位互換の需要とは、LTE Release-8の端末がLTE-Advancedのネットワークに作動でき、LTE-Advancedの端末がLTE Release-8のネットワークに作動できることである。なお、LTE-Advancedは大きさが異なる、LTE Release-8よりも広い周波数スペクトル配置(例えば100MHzの連続周波数スペクトルリソース)を含む周波数スペクトル配置の下で作動することができるべきであり、それにより、より高い性能と目標ピーク速度に達する。LTE Release- 8との互換性を考えると、20MHzより大きい帯域幅に対してキャリアアグリゲーション(Carrier  aggregation)の方式を採用し、即ち
【００１６】
2つ或いは2つ以上のコンポーネントキャリア(component carriers)が集まることにより20MHzより大きいダウンリンク伝送帯域幅を支持する。
【００１７】
端末はその能力によって同時に1つ或いは複数のコンポーネントキャリア(component carriers)を受信することができる。
【００１８】
20MHz以上の受信能力を有するLTE-A端末は同時に複数のコンポーネントキャリアの伝送を受信することができる。LTE Release-8端末は1つのコンポーネントキャリアにおける伝送だけを受信することができ、例えば、該コンポーネントキャリアの構造がLTE Release-8規範を従う。
【００１９】
従来、LTE-Advanced標準において、ダウンリンク制御シグナリングの発信即ちPDCCHの形式に対して相応な説明がない。
【００２０】
従来、LTE-AのPDCCH方案は異なるコーディングと伝送方案から組合せてなる。主に、単独コーディング、単独伝送と、共同コーディング、単独伝送と、共同コーディング、共同伝送と、マスタスレーブPDCCHとを含む。
【００２１】
1.単独コーディング、単独伝送とは、PDCCHが単独のコンポーネントキャリアにおいて伝送し、各コンポーネントキャリアのアップ・ダウンリンクスケジューリング情報が単独にコーディングし、且つスケジューリングされるPDSCHと同一のcarrierにあることである。主な欠点はシグナリングオーバーヘッドが大きく、ブラインド検出の回数が多いことである。
【００２２】
2. 共同コーディング、単独伝送とは、PDCCHが専有のコンポーネントキャリアにおいて伝送し、複数のコンポーネントキャリアのアップ・ダウンリンクスケジューリング情報が共同でコーディングすることである。主な欠点は、PDCCHのブロッキング確率が高く、且つ、実際にスケジューリングするコンポーネントキャリアが半静的に分配するコンポーネントキャリアより少ない時に、リソース浪費を引き起こし、ひいては単独コーディングのオーバーヘッドより大きいことである。
【００２３】
3. 共同コーディング、共同伝送とは、1つのPDCCHが複数のコンポーネントキャリアにおいて伝送し、複数のコンポーネントキャリアのアップ・ダウンリンクスケジューリング情報が共同でコーディングすることである。主な欠点は、上位互換性が悪く、且つ、実際にスケジューリングするコンポーネントキャリアが半静的に分配するコンポーネントキャリアより少ない時に、リソース浪費を引き起こし、ひいては単独コーディングのオーバーヘッドより大きいことである。 
【００２４】
4. マスタスレーブPDCCHとは、固定フォーマットの主PDCCHにベアラーする情報が動態的或いは半静的にスレーブPDCCHのDCI formatに通知し、それにより、固定DCIフォーマットの共同コーディングリソース浪費の問題を解決する。主な欠点は復号チェーンの問題(即ち、主PDCCHの性能が全体PDCCH性能を深刻に制約する)である。
【発明の概要】
【発明が解決しようとする課題】
【００２５】
前記案は、シグナリングオーバーヘッド、ブラインド検出回数、互換性、エラーコード性能に配慮を加える方面に欠点があり、さらに深く検討する必要があることがわかる。
【００２６】
本発明が解決しようとする技術課題はダウンリンク制御情報の発信と検出方法を提供することであり、該方法は、よいスケジューリング柔軟性と、互換性とエラーコード性能と、低いブラインド検出回数と、且つブラインド検出回数がスケジューリングされるコンポーネントキャリア数の増加に従って増加しなく、小さなシグナリングオーバーヘッドとを有する。
【課題を解決するための手段】
【００２７】
前記課題を解決するために、本発明はダウンリンク制御情報の発信方法を提供し、基地局が物理ダウンリンク制御チャネルにダウンリンク制御情報を携帯し、コンポーネントキャリアによって前記物理ダウンリンク制御チャネルを発信し、前記基地局がアンカーコンポーネントキャリアに第1類のダウンリンク制御情報をベアラーし、プライムコンポーネントキャリアに第3類のダウンリンク制御情報をベアラーすることを含み、ただし、
前記第1類のダウンリンク制御情報が、前記第1類のダウンリンク制御情報が所在するコンポーネントキャリアのアップリンクスケジューリング情報、ダウンリンクスケジューリング情報及びアップリンクパワー制御情報の中の1種或いは多種をベアラーし、前記第3類のダウンリンク制御情報が第2類のダウンリンク制御情報の指示情報をベアラーし、前記第2類のダウンリンク制御情報が1つの或いは複数のコンポーネントキャリアのアップリンクスケジューリング情報及び/またはダウンリンクスケジューリング情報をベアラーする。
【００２８】
前記コンポーネントキャリアがn個のであり、前記基地局がn個のコンポーネントキャリアにおいて端末にデータを伝送するときに、1つのコンポーネントキャリアがアンカーコンポーネントキャリアであり、1つ或いは2つのコンポーネントキャリアがプライムコンポーネントキャリアであり、1< n ≦5である。
【００２９】
前記アンカーコンポーネントキャリアとプライムコンポーネントキャリアとが上位層シグナリングにより半静的に設置され、前記アンカーコンポーネントキャリアとプライムコンポーネントキャリアとが端末専有である。
【００３０】
前記第3類のダウンリンク制御情報にベアラーされる第2類のダウンリンク制御情報の指示情報は、第2類のダウンリンク制御情報に含むダウンリンク制御情報フォーマットの指示情報と、第2類のダウンリンク制御情報が所在するコンポーネントキャリアの指示情報と、第2類のダウンリンク制御情報をベアラーする物理ダウンリンク制御チャネルの制御チャンネルユニットのアグリゲーションレベルと制御チャンネルユニットの開始位置の指示情報と、アップリンクスケジューリング指示情報或いはダウンリンクスケジューリング指示情報との中の1種或いは多種を含む。
【００３１】
前記第3類のダウンリンク制御情報は、1ビットのアップリンクスケジューリング指示情報或いはダウンリンクスケジューリング指示情報と、2*nビットの第2類のダウンリンク制御情報に含むダウンリンク制御情報フォーマットの指示情報と、「log2n」ビットの第2類のダウンリンク制御情報が所在するコンポーネントキャリアの索引と、6ビットの第2類のダウンリンク制御情報をベアラーする物理ダウンリンク制御チャネルの制御チャンネルユニットのアグリゲーションレベルと制御チャンネルユニットの開始位置とを含み、nが端末に分配するダウンリンクコンポーネントキャリア数であり、或いは
前記第3類のダウンリンク制御情報は、2*nビットのダウンリンクスケジューリングの第2類のダウンリンク制御情報に含むダウンリンク制御情報フォーマットの指示情報と、「log2n」ビットのダウンリンクスケジューリングの第2類のダウンリンク制御情報が所在するコンポーネントキャリアの索引と、6ビットのダウンリンクスケジューリングの、第2類のダウンリンク制御情報をベアラーする物理ダウンリンク制御チャネルの制御チャンネルユニットのアグリゲーションレベルと制御チャンネルユニットの開始位置と、2*mビットのアップリンクスケジューリングの第2類のダウンリンク制御情報に含むダウンリンク制御情報フォーマットの指示情報と、「log2n」ビットのアップリンクスケジューリングの第2類のダウンリンク制御情報が所在するコンポーネントキャリアの索引と、6ビットのアップリンクスケジューリングの、第2類のダウンリンク制御情報をベアラーする物理ダウンリンク制御チャネルの制御チャンネルユニットのアグリゲーションレベルと制御チャンネルユニットの開始位置とを含み、nが端末に分配するダウンリンクコンポーネントキャリア数であり、mが端末に分配するアップリンクコンポーネントキャリア数である。
【００３２】
前記第2類のダウンリンク制御情報にベアラーする1つの或いは複数のコンポーネントキャリアのアップリンクスケジューリング情報及び/或いはダウンリンクスケジューリング情報は、
端末がk1個の分配されるコンポーネントキャリアのアップリンクスケジューリング情報のダウンリンク制御情報及び/またはダウンリンクスケジューリング情報のダウンリンク制御情報の組合せであり、k1が前記第3類のダウンリンク制御情報にベアラーされる第2類のダウンリンク制御情報に含むダウンリンク制御情報フォーマットの指示情報によって確定され、1≦k1≦n、或いは
分配されるk2個のダウンリンクスケジューリング情報のダウンリンク制御情報とl個のアップリンクスケジューリング情報のダウンリンク制御情報の組合せであり、ただし、k2とlとが前記第3類のダウンリンク制御情報にベアラーされる第2類のダウンリンク制御情報に含むダウンリンク制御情報フォーマットの指示情報によって確定され、1≦k2≦n、1≦l≦m、nが端末に分配するダウンリンクコンポーネントキャリア数であり、mが端末に分配するアップリンクコンポーネントキャリア数である。
【００３３】
本発明はまた基地局を提供し、
ダウンリンク制御情報を物理ダウンリンク制御チャネルに設置し、且つ第1類のダウンリンク制御情報をアンカーコンポーネントキャリアに設置し、第3類のダウンリンク制御情報をプライムコンポーネントキャリアに設置し、及び
コンポーネントキャリアによって前記物理ダウンリンク制御チャネルを発信するように設置され、ただし、
前記第1類のダウンリンク制御情報が、前記第1類のダウンリンク制御情報が所在するコンポーネントキャリアのアップリンクスケジューリング情報、ダウンリンクスケジューリング情報及びアップリンクパワー制御情報の中の1種或いは多種をベアラーし、前記第3類のダウンリンク制御情報が第2類のダウンリンク制御情報の指示情報をベアラーし、前記第2類のダウンリンク制御情報が1つの或いは複数のコンポーネントキャリアのアップリンクスケジューリング情報及び/またはダウンリンクスケジューリング情報をベアラーする。
【００３４】
本発明はまたダウンリンク制御情報の検出方法を提供し、
端末が、アンカーコンポーネントキャリアに第1類のダウンリンク制御情報をブラインド検出し、プライムコンポーネントキャリアに第3類のダウンリンク制御情報をブラインド検出することを含み、ただし、
前記第1類のダウンリンク制御情報が、前記第1類のダウンリンク制御情報が所在するコンポーネントキャリアのアップリンクスケジューリング情報、ダウンリンクスケジューリング情報及びアップリンクパワー制御情報の中の1種或いは多種をベアラーし、前記第3類のダウンリンク制御情報が第2類のダウンリンク制御情報の指示情報をベアラーし、前記第2類のダウンリンク制御情報が1つの或いは複数のコンポーネントキャリアのアップリンクスケジューリング情報及び/またはダウンリンクスケジューリング情報をベアラーする。
【００３５】
前記第3類のダウンリンク制御情報にベアラーされる第2類のダウンリンク制御情報の指示情報は、第2類のダウンリンク制御情報に含むダウンリンク制御情報フォーマットの指示情報と、第2類のダウンリンク制御情報が所在するコンポーネントキャリアの指示情報と、第2類のダウンリンク制御情報をベアラーする物理ダウンリンク制御チャネルの制御チャンネルユニットのアグリゲーションレベルと制御チャネルユニットの開始位置の指示情報と、アップリンクスケジューリング指示情報或いはダウンリンクスケジューリング指示情報との中の1種或いは多種を含む請求項8に記載の検出方法。
【００３６】
端末がプライムコンポーネントキャリアに第3類のダウンリンク制御情報を検出されたた時、端末が第3類のダウンリンク制御情報にベアラーされる第2類のダウンリンク制御情報の指示情報によって、指定のコンポーネントキャリアにおける制御チャンネルユニット集合の中に第2類のダウンリンク制御情報の符号語を取得して復号する。
【００３７】
前記アンカーコンポーネントキャリアとプライムコンポーネントキャリアとが上位層シグナリングにより半静的に設置され、前記アンカーコンポーネントキャリアとプライムコンポーネントキャリアとが端末専有である。
【００３８】
端末がアンカーコンポーネントキャリアにおいてブラインド検出する第1類のダウンリンク制御情報のダウンリンク制御情報フォーマットとプライムコンポーネントキャリアにおいてブラインド検出する第3類のダウンリンク制御情報のダウンリンク制御情報フォーマットとが上位層シグナリング関連の設置により決定される。
【００３９】
前記端末はさらに、プライムコンポーネントキャリアにおいて公共制御情報スケジューリングに用いられるダウンリンク制御情報フォーマットをブラインド検出する。
【００４０】
本発明はまた検出モジュールを含む端末を提供し、
前記検出モジュールはアンカーコンポーネントキャリアにおいて第1類のダウンリンク制御情報をブラインド検出し、及びプライムコンポーネントキャリアにおいて第3類のダウンリンク制御情報をブラインド検出するように設置され、
ただし、前記第1類のダウンリンク制御情報が、前記第1類のダウンリンク制御情報が所在するコンポーネントキャリアのアップリンクスケジューリング情報、ダウンリンクスケジューリング情報及びアップリンクパワー制御情報の中の1種或いは多種をベアラーし、前記第3類のダウンリンク制御情報が第2類のダウンリンク制御情報の指示情報をベアラーし、前記第2類のダウンリンク制御情報が1つの或いは複数のコンポーネントキャリアのアップリンクスケジューリング情報及び/またはダウンリンクスケジューリング情報をベアラーする。
【発明の効果】
【００４１】
本発明提供したダウンリンク制御情報の発信方法は、よいスケジューリング柔軟性と、互換性とエラーコード性能と、低いブラインド検出回数と、且つブラインド検出回数がスケジューリングされるコンポーネントキャリア数の増加に従って増加しなく、小さなシグナリングオーバーヘッドとを有し、Carrier aggregationダウンリンク制御情報の発信の問題をよく解決でき、LTE- AdvancedとLTE Release-8との互換性に有利し、LTE-Advancedシステムの実現に有利する。
【図面の簡単な説明】
【００４２】
【図１】LTEシステムFDD/TDDモードのフレーム構造模式図。
【図２】(a)本発明第3類のDCIの模式図。(b)本発明第3類のDCIの他の模式図。
【発明を実施するための形態】
【００４３】
以下は実施例を結合して本発明の実施形態を詳しく説明し、それにより、本発明がどのように技術手段を応用して技術問題を解決し、且つ技術効果に達する実現過程について十分に理解でき且つそれにより実施することができる。
【００４４】
本発明は以下3種のDCI類型に関し、そのなかで、
1)第1類のDCIが、所在する単独のコンポーネントキャリア関連のアップリンクスケジューリング情報、ダウンリンクスケジューリング情報或いはアップリンクパワー制御情報をベアラーする。
2)第2類のDCIが、単独のまたは複数のコンポーネントキャリアのアップリンクスケジューリング情報及び/またはダウンリンクスケジューリング情報をベアラーする。
3)第3類のDCIが第2類のDCIの指示情報をベアラーする。
【００４５】
第3類のDCIがベアラーする第2類のDCIの指示情報は、第2類のDCIに含むDCI formatの指示情報と、第2類のDCIが所在するコンポーネントキャリアの指示情報と、第2類のDCIをベアラーするPDCCHのCCE aggregation levelとCCE開始位置の指示情報と、アップリンクスケジューリング情報/ダウンリンクスケジューリング指示情報と等の1種或いは多種を含む。前記第2類のDCIに含むDCI formatの指示情報は、端末の各分配されるコンポーネントキャリアのアップリンクスケジューリング及び/またはダウンリンクスケジューリングのDCIが対応するDCI format情報である。
【００４６】
第2類のDCIがベアラーする情報は、端末のk(1≦k≦n)個の分配されるコンポーネントキャリアのアップリンク及び/またはダウンリンクスケジューリング情報DCIの組合せであり、kは前記第3類のDCIにおいて第2類のDCIに含むDCI formatに関する指示情報により確定される。
【００４７】
端末がn(1<n≦5)個のコンポーネントキャリアに設置されてデータを受信するとき、1つのダウンリンクコンポーネントキャリアがアンカー(anchor)コンポーネントキャリアに設置され、その関連のアップリンクスケジューリング情報、ダウンリンクスケジューリング情報或いはアップリンクパワー制御情報が該コンポーネントキャリアにおける第1類のDCIによりベアラーされ、他の1つの或2つのダウンリンクコンポーネントキャリアがプライム(prime)コンポーネントキャリアに設置され、第3類のDCIを伝送することに用いられる。第2類のDCIがいずれのコンポーネントキャリアに伝送できる。
【００４８】
本発明はダウンリンク制御情報の発信方法を提供し、基地局が物理ダウンリンク制御チャネルにダウンリンク制御情報を携帯し、コンポーネントキャリアによって前記物理ダウンリンク制御チャネルを発信し、ただし、基地局がアンカーコンポーネントキャリアに第1類のダウンリンク制御情報をベアラーし、プライムコンポーネントキャリアに第3類のダウンリンク制御情報をベアラーする。
【００４９】
前記アンカー(anchor)コンポーネントキャリアとプライム(prime)コンポーネントキャリアとが上位層シグナリングにより半静的に(semi-statically)設置され、端末専有(UE-specific)である。
【００５０】
相応的に、本発明は基地局を提供し、以下のように設置され、
ダウンリンク制御情報を物理ダウンリンク制御チャネルに設置し、且つ第1類のダウンリンク制御情報をアンカーコンポーネントキャリアに設置し、第3類のダウンリンク制御情報をプライムコンポーネントキャリアに設置し、及び
コンポーネントキャリアによって物理ダウンリンク制御チャネルを発信し、ただし、
第1類のダウンリンク制御情報が、第1類のダウンリンク制御情報が所在するコンポーネントキャリアのアップリンクスケジューリング情報、ダウンリンクスケジューリング情報及びアップリンクパワー制御情報の中の1種或いは多種をベアラーし、第3類のダウンリンク制御情報が第2類のダウンリンク制御情報の指示情報をベアラーし、第2類のダウンリンク制御情報が1つの或いは複数のコンポーネントキャリアのアップリンクスケジューリング情報及び/またはダウンリンクスケジューリング情報をベアラーする。
【００５１】
本発明はさらにダウンリンク制御情報の検出方法を提供し、端末が、アンカーコンポーネントキャリアにおいて第1類のダウンリンク制御情報をブラインド検出し、プライムコンポーネントキャリアに第3類のダウンリンク制御情報をブラインド検出し、即ち、端末が、アンカー(anchor)コンポーネントキャリアに上位層シグナリング関連の設置により決定されるDCI formatをブラインド検出し、プライム(prime)コンポーネントキャリアの端末専有(UE-specific)捜索空間に第3類のDCIが対応するDCI formatをブラインド検出する。ただし、第3類のDCIが対応するDCI formatが上位層シグナリング関連の設置により決定され、端末が、上位層シグナリングにおいて該端末に分配されるコンポーネントキャリアの数量、各コンポーネントキャリアの索引等の情報によって約束した方式に応じて第3類のDCIが対応するDCI formatを確定することができる。
【００５２】
端末がプライムコンポーネントキャリアに第3類のDCIを検出し出す場合、ベアラーする第2類のDCIの指示情報に応じて、指定したコンポーネントキャリアにおけるCCE集合に第2類のDCIの符号語を取得し且つ第3類のDCIに携帯する、第2類のDCIに含むDCI formatの指示情報によって復号する。
【００５３】
相応的に、本発明は検出モジュールを含む端末をさらに提供し、、
該検出モジュールはアンカーコンポーネントキャリアに第1類のダウンリンク制御情報をブラインド検出し、プライムコンポーネントキャリアに第3類のダウンリンク制御情報をブラインド検出するように設置され、ただし、
第1類のダウンリンク制御情報が、第1類のダウンリンク制御情報が所在するコンポーネントキャリアのアップリンクスケジューリング情報、ダウンリンクスケジューリング情報及びアップリンクパワー制御情報の1種或いは多種をベアラーし、第3類のダウンリンク制御情報が第2類のダウンリンク制御情報の指示情報をベアラーし、第2類のダウンリンク制御情報が1つの或いは複数のコンポーネントキャリアのアップリンクスケジューリング情報及び/またはダウンリンクスケジューリング情報をベアラーする。
【００５４】
実施例1
アンカー(anchor)コンポーネントキャリアにおいて端末がブラインド検出したDCI formatは、上位層シグナリング関連の設置(RNTIと伝送モード)により決定される。プライム(prime)コンポーネントキャリアに検出待ちのDCI formatが、公共制御情報スケジューリングに用いられるDCI format(即ち、アップリンクパワー制御情報、システムメッセージ、paging、RACH Response等をベアラーすることに用いられるDCI format)及び端末専有の第3類のDCIが対応するDCI formatを含む。
【００５５】
方法 1
図2(a)に示すように、アップリンクとダウンリンクスケジューリングそれぞれに1つの第3類のDCIを使って指示する。
【００５６】
第3類のDCIにベアラーする情報は、
アップリンクスケジューリング情報或ダウンリンクスケジューリング指示情報、l bit、アップリンクまたはダウンリンクスケジューリングを指示することに用いられ、
2*nビット(bit) (各コンポーネントキャリアが2ビットであり、00が対応のコンポーネントキャリアにDCI formatがないことを表し、01、10、11それぞれ1種のDCI formatを表す)、各コンポーネントキャリアのDCI formatを指示することに用いられる、nが端末に分配するダウンリンクコンポーネントキャリア数であり、
「log2n」ビット(bit)、該端末の第2類のDCIが所在するコンポーネントキャリアの索引を指示することに用いられ、
6bit、該端末の第2類のDCIのPDCCHのCCE aggregation levelとCCE開始位置を指示することに用いられ、6bitが64の因子を表し、4つの交差しない部分集合に分けられ、それぞれ1、2、4、8のCCE aggregation levelに対応し、部分集合における各因子が、UE IDに決定される捜索空間のCCE開始位置を参考とする1つの相対オフセット量に対応し、且つ該オフセット量の単位が相応のCCE aggregation levelであることである。
【００５７】
第2類のDCIにおける情報は分配されるk1(1≦k1≦n)個のコンポーネントキャリアのアップリンクスケジューリング情報及び/またはダウンリンクスケジューリング情報DCIの組合せである。k1が前記第3類のDCIに携帯する第2類のDCIに含むDCI formatの指示情報により確定される。アップリンクスケジューリング情報、ダウンリンクスケジューリング情報におけるリソース分配のリソースブロックグループサイズ(resource block group size)が、同じ帯域幅のLTE Rel-8標準に定義されるリソースブロックグループサイズの2倍である。
【００５８】
端末が、アンカー(anchor)コンポーネントキャリアにおいて上位層シグナリング関連の設置(RNTIと伝送モード)により決定されるDCI formatをブラインド検出し、プライム(prime)コンポーネントキャリアにおいて公共制御情報スケジューリングに用いられるDCI format(即ち、アップリンクパワー制御、システムメッセージ、paging、RACH Response等をベアラーすることに用いられるDCI format)、及び端末専有の第3類のDCIが対応するDCI formatをブラインド検出し、端末がプライムコンポーネントキャリアに第3類のDCIを検出すると、そのなかにベアラーする第2類のDCIの指示情報に応じて、指定のコンポーネントキャリアにおけるCCE集合において第2類のDCIの符号語を取得して第3類のDCIに携帯する第2類のDCIに含むDCI formatの指示情報によって復号する。
【００５９】
方法 2 
図2(b)に示すように、アップリンクとダウンリンクスケジューリングとが共同に1つの第3類のDCIを使って指示する。
【００６０】
第3類のDCIにベアラーする情報は、ダウンリンクスケジューリング情報関連のDCI指示情報とアップリンクスケジューリング情報関連のDCI指示情報という2つの部分を含み、次に、示例を出すが、本発明はこれに限定されなく、具体的には、
2*n bit(各コンポーネントキャリアが2ビットであり、00が、対応のコンポーネントキャリアにDCI formatがないことを表し、01、10、11それぞれ1種のDCI formatを表す)が各コンポーネントキャリアのダウンリンクスケジューリングのDCI formatを指示することに用いられ、 nが端末に分配するダウンリンクコンポーネントキャリア数であり、
「log2n」bitがダウンリンクスケジューリングの第2類のDCIが所在するコンポーネントキャリアの索引を指示することに用いられ、
6bitがダウンリンクスケジューリングの第2類のDCIのPDCCHのCCE aggregation levelとCCE開始位置を指示することに用いられ、
2*m bit(mが端末に分配するアップリンクコンポーネントキャリアの数であり、各コンポーネントキャリアが2ビットであり、00が、対応のコンポーネントキャリアにDCI formatがないことを表し、01、10、11それぞれ1種のDCI formatを表す)が各コンポーネントキャリアのアップリンクスケジューリングのDCI formatを指示することに用いられ、
「log2n」ビット(bit)がアップリンクスケジューリングの第2類のDCIが所在するコンポーネントキャリアの索引を指示することに用いられ、
6bitがアップリンクスケジューリングの第2類のDCIのPDCCHのCCE aggregation levelとCCE開始位置を指示することに用いられ、6bitが64の因子を表し、4つの交差しない部分集合に分けられ、それぞれ1、2、4、8のCCE aggregation levelに対応し、部分集合における各因子が UE IDに決定される捜索空間のCCE開始位置を参考とする1つの相対オフセット量に対応し、且つ該オフセット量の単位が相応のCCE aggregation levelであることである。
【００６１】
第2類のDCIにおける情報は分配されるk2(1≦k2≦n)個のダウンリンクスケジューリング情報とl(l≦l<rn)個のアップリンクスケジューリング情報 DCIとの組合せである。k2、lが前記第3類のDCIにおける第2類のDCIに含むDCI formatに関する指示情報により確定される。その中、アップ、ダウンリンクスケジューリング情報においてリソース分配のリソースブロックグループサイズ(resource block group size)が同じ帯域幅のLTE Rel-8標準に定義されるリソースブロックグループサイズの2倍である。
【００６２】
端末が、アンカー(anchor)コンポーネントキャリアにおいて上位層シグナリング関連の設置(RNTIと伝送モード)に決定されるDCI formatをブラインド検出し、プライム(prime)コンポーネントキャリアに公共制御情報スケジューリングに用いられるDCI format(即ち、アップリンクパワー制御、システムメッセージ、paging、RACH Response等をベアラーすることに用いられるDCI format)、及び端末専有の第3類のDCIが対応するDCI formatをブラインド検出する。端末がプライムコンポーネントキャリアに第3類のDCIを検出すると、それにベアラーする第2類のDCIの指示情報に応じて、指定のコンポーネントキャリアにおけるCCE集合において第2類のDCIの符号語を取得して第3類のDCIに携帯する第2類のDCIに含むDCI formatの指示情報によって復号する。
【００６３】
応用示例1
端末がn(l<n≦5)個のコンポーネントキャリアにおいてデータを受信・発信し、上位層シグナリングがそのなかの1つのダウンリンクコンポーネントキャリアをアンカー(anchor)コンポーネントキャリアに設置し、他の1つのダウンリンクコンポーネントキャリアをプライム(prime)コンポーネントキャリアに設置する。
【００６４】
端末がアンカー(anchor)コンポーネントキャリアにブラインド検出するDCI formatは上位層シグナリング関連の設置(RNTIと伝送モード)により決定されう。プライム(prime)コンポーネントキャリアにブラインド検出するDCI formatは、公共制御情報スケジューリングに用いられるDCI format(即ち、アップリンクパワー制御、システムメッセージ、paging、RACH Response等をベアラーすることに用いられるDCI format)及び端末専有の第3類のDCIが対応するDCI formatを含む。
【００６５】
端末がプライムコンポーネントキャリアに第3類のDCIを検出すると、そのなかにベアラーする第2類のDCIの指示情報に応じて、指定のコンポーネントキャリアにおけるCCE集合において第2類のDCIの符号語を取得して且つ第3類のDCIに携帯する第2類のDCIに含むDCI formatの指示情報によって復号する。
【００６６】
応用示例2
端末がn(l<n≦5)個のコンポーネントキャリアにデータを受信・発信し、上位層シグナリングがそのなかの1つのダウンリンクコンポーネントキャリアをアンカー(anchor)コンポーネントキャリアに設置し、他の2つのダウンリンクコンポーネントキャリアをプライム(prime)コンポーネントキャリアに設置する。
【００６７】
端末がアンカー(anchor)コンポーネントキャリアにブラインド検出するDCI formatは上位層シグナリング関連の設置(RNTIと伝送モード)により決定される。2つのプライム(prime)コンポーネントキャリアにおいてそれぞれブラインド検出するDCI formatは、公共制御情報スケジューリングに用いられるDCI format(即ち、アップリンクパワー制御、システムメッセージ、paging、RACH Response等をベアラーすることに用いられる DCI format)及び端末専有の第3類のDCIが対応するDCI formatを含む。
【００６８】
端末がプライムコンポーネントキャリアに第3類のDCIを検出されると、そのなかにベアラーする第2類のDCIの指示情報に応じて、指定のコンポーネントキャリアにおけるCCE集合において第2類のDCIの符号語を取得して且つ第3類のDCIに携帯する第2類のDCIに含むDCI formatの指示情報によって復号する。
【産業上の利用可能性】
【００６９】
本発明提供したダウンリンク制御情報の発信方法は、よいスケジューリング柔軟性と、互換性とエラーコード性能と、低いブラインド検出回数と、且つブラインド検出回数がスケジューリングされるコンポーネントキャリア数の増加に従って増加しなく、小さなシグナリングオーバーヘッドとを有し、Carrier aggregationダウンリンク制御情報の発信の問題をよく解決でき、LTE- AdvancedとLTE Release-8との互換性に有利し、LTE-Advancedシステムの実現に有利する。
【図１】
0005317377.tif 000005
【図２】
0005317377.tif 000006